(57)【要約】 【課題】革靴の凹凸部や湾曲面等に付着した汚れも簡単に除去して艶出しできる使い勝手の良い靴磨き具を提供する。【解決手段】上下一対のケース１ａ、１ｂと、当該ケース１ａ、１ｂのそれぞれに一部を露出させた状態で収容可能なスポンジ体２とで成る靴磨き具において、前記スポンジ体２の少なくとも表裏何れかの面に複数の切込み３が設けられている。【選択図】図２
0003125062.tif 000002
【実用新案登録請求の範囲】
【請求項１】
上下一対のケースと、当該ケースのそれぞれに一部を露出させた状態で収容可能なスポンジ体とで成る靴磨き具において、
前記スポンジ体の少なくとも表裏何れかの面に複数の切込みが設けられていることを特徴とする靴磨き具。
【請求項２】
前記切込みが格子状に成されていることを特徴とする請求項１に記載の靴磨き具。
【請求項３】
前記スポンジ体の側部に段部が設けられていることを特徴とする請求項１または請求項２の何れかに記載の靴磨き具。
【請求項４】
前記ケース内の側壁に、前記スポンジ体を側方より咬持する一対の突起部が相対向して設けられていることを特徴とする請求項１から請求項３までの何れかに記載の靴磨き具。
【請求項５】
前記スポンジ体に艶出し剤が含浸されていることを特徴とする請求項１から請求項４までの何れかに記載の靴磨き具。
【考案の詳細な説明】
【技術分野】
【０００１】
本考案は、簡易型の靴磨き具に関するものである。
【背景技術】
【０００２】
従来より、厚肉のスポンジ体をプラスチックケース内に収容した簡易型の靴磨き具が知られている。これは、把持部を兼ねた半割ケースに、液状シリコン等の艶出し剤が含浸されたスポンジ体の上半分を露出させた状態で収容し、露出させたスポンジ体の上面扁平部を革靴に当接して摺擦（ブラッシング）することにより、革靴の表面に付着した塵埃等の汚れを除去すると共に、革靴の表面に艶出し剤による艶や撥水性を与えるものである。
【考案の開示】
【考案が解決しようとする課題】
【０００３】
ところが、このような簡易型の靴磨き具は、革靴の甲の部分ように比較的扁平な部分に付着した汚れは除去され艶出しされるが、爪先やかかと部分の湾曲面や、靴底と甲の部分の合わせ目に生じる窪みや段差等に付着した汚れを完全に除去するのは難しく、革靴全体の汚れを除去して満遍なく艶出しするのは面倒で根気を要する作業であった。
【０００４】
本考案は、このような従来の靴磨き具の問題点に鑑み成されたもので、革靴の凹凸部や湾曲面等に付着した汚れも簡単に除去して艶出しできる使い勝手の良い靴磨き具を提供することを目的としている。
【課題を解決するための手段】
【０００５】
すなわち、請求項１に記載の考案は、上下一対のケースと、当該ケースのそれぞれに一部を露出させた状態で収容可能なスポンジ体とで成る靴磨き具において、前記スポンジ体の少なくとも表裏何れかの面に複数の切込みが設けられていることを特徴としている。
【０００６】
また、請求項２に記載の考案は、請求項１に記載の靴磨き具において、前記切込みが格子状に成されていることを特徴としている。
【０００７】
また、請求項３に記載の考案は、請求項１または請求項２の何れかに記載の靴磨き具において、前記スポンジ体の側部に段部が形成されていることを特徴としている。
【０００８】
また、請求項４に記載の考案は、請求項１から請求項３までの何れかに記載の靴磨き具において、前記ケース内の側壁に、前記スポンジ体を側方より咬持する一対の突起部が相対向して設けられていることを特徴としている。
【０００９】
また、請求項５に記載の考案は、前記スポンジ体に艶出し剤が含浸されていることを特徴としている。
【考案の効果】
【００１０】
請求項１、２に記載の考案によれば、スポンジ体の表面に複数の切込みを設けたので、スポンジ体と革靴の表面との接触性が向上し、革靴の甲の部分のように比較的扁平な部分は元より、爪先やかかと等の湾曲面や靴底と甲の部分の合わせ目に生じる窪みや段差等の細かい部分に付着した塵埃等の汚れも簡単に除去することができ、且つ、艶出し剤による優れた艶出し効果が得られる。
【００１１】
また、請求項３に記載の考案によれば、スポンジ体の側部に段部を設けたので、スポンジ体の側部を使用することにより、この段部を爪先部分のように極端に湾曲した部分の窪みや段差等に適切に接触せることができ、これらの部分に付着した汚れを確実に除去して艶出しするとこができる。
【００１２】
また、請求項４に記載の考案によれば、ケース内の側壁に相対向する突起部を設けたので、ケースに収容されたスポンジ体の両側部に突起部が食い込んでスポンジ体を両側部より咬持するため、靴磨きの際にスポンジ体がケースより抜け落ちるのを防止することができる。
【考案を実施するための最良の形態】
【００１３】
以下、図１〜図７に基づいて本考案による靴磨き具の実施形態を説明する。
図１〜図３に示すように、本実施形態の靴磨き具は、上ケース１ａと下ケース１ｂの上下一対の箱体の開口部同士を突き合わせて成る硬質プラスチック製の角形半割ケース１と、この半割ケース１内に密嵌状態で収容される厚肉で四角形状のスポンジ体２とで構成されており、このスポンジ体２は、これら上ケース１ａおよび下ケース１ｂのそれぞれに、厚さ方向の約上半分を露出（突出）させた状態で密に収容できるようになっている。
【００１４】
スポンジ体２は、ポリウレタン、その他の各種プラスチック材料を発砲させた軟質で弾力性を有するプラスチックフォームが用いられると共に、スポンジ体２には、液状シリコン等による艶出し剤が含浸されている。
【００１５】
また、スポンジ体２の一方の面には、格子状の切込み３が設けられて、当表面部分が賽の目状態と成されており、且つ、対向する一対の角部が厚さ方向に階段状に欠切されて複数の段部４が形成されている。
本実施形態では、この切込み３の深さは厚さ方向の１／３程度までとして、図２に示すように、このスポンジ体２の切込み３を表側にして上ケース１ａに収容した時、厚さ方向の切込み３のが全て露出し、逆に、図３に示すように、このスポンジ体２の切込み３を裏側にして他方のケース（下ケース１ｂ）に収容した時、厚さ方向の切込みが下ケース１ｂ内に全て埋没するように成されている。
【００１６】
また、上ケース１ａおよび下ケース１ｂのそれぞれには、このスポンジ体２を密に嵌着できるように、スポンジ体２の角部の段部４に合わせて上ケース１ａと下ケース１ｂのそれぞれの角部にも段部６が形成されていると共に、各ケース内の長辺側の側壁の長手中央部分に、ケース内に収容されたスポンジ体２の両側部を側方より咬持してスポンジ体２の脱落を防止する一対の突起部５ａ、５ａ（５ｂ、５ｂ）が相対向して突設されている。
【００１７】
上記構成の靴磨き具を使用する場合は、図２に示すように、スポンジ体２を上ケース１ａ側に収容して、切込み３が形成されたスポンジ面をブラシ面（摺擦面）とする使用形態と、図３に示すように、スポンジ体２を下ケース１ｂ側に収容して、切込み３の無い平坦なスポンジ面をブラシ面とする使用形態の二通りがある。
【００１８】
また、スポンジ体２とケース１の二つの角部を切り欠き構造としているため、各ブラシ面の使用形態は、スポンジ体２を収容するケース１ａ、１ｂによって一義的に定まるものであるから、例えば、上ケース１ａと下ケース１ｂを色分けしておくことにより、切込み３のあるブラシ面と扁平ブラシ面を即座に識別することができるため便利である。
尚、スポンジ体２の角部の段部４は厚さ方向全体に渡って形成されているため、上述した何れの使用形態においても活用可能である。
【００１９】
以下、図４〜図７に基づいて上述した靴磨き具の使用形態を説明する。
尚、靴磨き具は、スポンジ体２の下半部を硬質プラスチック製の上ケース１ａ、または下ケース１ｂ内に密に嵌着させることにより、上半部が露出する状態に収容されたものであり、使用するケース１ａ、１ｂの何れかを把持部とすることにより、靴磨きの際に艶出し剤等で手を汚すことなく、以下に述べる革靴のブラッシングを行うことができる。
【００２０】
図４〜図６には、スポンジ体２を上ケース１ａ側に収容して、切込み３が形成された賽の目状のスポンジ面をブラシ面とする使用形態が示されており、この状態では、切込み３を設けることにより、凹凸面に対するスポンジ面の可撓性が改善され、革靴２０の表面とスポンジ体２との接触性を向上することができ、図４のように、革靴２０の甲１３の部分の縫い合わせ目１１や、靴底１４と甲１３の部分の合わせ目に生じる窪みや段差１２にスポンジ体を適切に接触させて、或いは、図５に示すように、爪先やかかと等の湾曲面等にスポンジ体２を適切に接触させてブラッシングすることができ、これらの細かな凹凸部分に付着した塵埃等の汚れを容易に除去することができると共に、スポンジ体２に含浸された艶出し剤によって優れた艶出し効果が得られる。
【００２１】
加えて、切込み３を設けてブラシ面を賽の目状にすることにより、革靴表面の凹凸に対して引っ掛かりを少なくしてスムーズなブラッシングを行えることと、スポンジ体２がケース内の突起部５ａ（５ｂ）によって側部より咬持されていることにより、ブラッシングの最中にスポンジ体２がケースより脱落し難くすることができる。
【００２２】
また、爪先部分のように極端に湾曲した部分の窪みや段差１２等をブラッシングする場合は、図６に示すように、スポンジ体２の側部を使用して、その角部に設けた段部４を活用すると良い。これら窪みや段差１２にスポンジ体２の段部４を適切に接触させることができ、これらに付着した汚れを確実に除去して艶出しすることができる。
【００２３】
また、比較的広くて扁平な甲１３の部分は、図７に示すように、スポンジ体２を下ケース１ｂ側に収容して、切込み３の無い平坦なスポンジ面をブラシ面としてブラッシングすれば良い。
【００２４】
このように、革靴２０のブラッシング箇所に応じてブラシ面を使い分けることにより、革靴全体の汚れを効率良く除去して艶出しするとこができ、手間もかからない。
【００２５】
以上、本実施形態では、スポンジ体２の片面にのみ切込み３を設けたが、両面に設けても良く、また、面全体ではなくその一部分に設けても構わない。
また、段部４についても２つの角部に限るものではない。
また、スポンジ体２の形状についても、平面形状を四角形でなく、楕円状や多角形状とすることも勿論可能である。
【図面の簡単な説明】
【００２６】
【図１】本考案に係る靴磨き具の外観斜視図。
【図２】同、靴磨き具の開蓋状態を示す斜視図。
【図３】同、靴磨き具の図２とは別の開蓋状態を示す斜視図。
【図４】同、靴磨き具の使用状態を示す斜視図。
【図５】同、靴磨き具の図４とは別の使用状態を示す斜視図。
【図６】同、靴磨き具の図５とは別の使用状態を示す斜視図。
【図７】同、靴磨き具の図６とは別の使用状態を示す斜視図。
【符号の説明】
【００２７】
１ａ、１ｂ  ケース
２  スポンジ体
３  切込み
４  段部
５ａ、５ｂ  突起部
【図１】
0003125062.tif 000003
【図２】
0003125062.tif 000004
【図３】
0003125062.tif 000005
【図４】
0003125062.tif 000006
【図５】
0003125062.tif 000007
【図６】
0003125062.tif 000008
【図７】
0003125062.tif 000009